(57)【要約】【課題】交換の際に手を汚さない。【解決手段】第１廃インク吸収体５１は、スリット６０が形成された長尺形状であり、多孔質材料からなる積層材６２と、積層材６２の略全体を被覆する、透明性及びインク非透過性を有したフィルム６３と、三つの把手６４とから構成される。第１廃インク吸収体５１は、スリット６０で分断された両端部６５、６６だけがフィルム６３で被覆されておらず、両端部６５、６６から積層材６２が露出している。第１廃インク吸収体５１は、一方の端部６５が顔料インク回収用の配管３９の出口に対面し、他方の端部６６が第３廃インク吸収体５５に連接する。【選択図】図３
2009234107.tif 000002
【特許請求の範囲】
【請求項１】
記録媒体に印刷を行うインクジェット記録装置の記録ヘッドで生じた廃インクを浸透させて保持するインク吸収部材と、
前記インク吸収部材を被覆して前記廃インクの漏出を防止する透明なフィルムと、
把手とを備えたことを特徴とする廃インク吸収体。
【請求項２】
前記把手は、前記フィルムと一体成形されたことを特徴とする請求項１に記載の廃インク吸収体。
【請求項３】
前記把手は、貫通孔を有していることを特徴とする請求項１又は２に記載の廃インク吸収体。
【請求項４】
折曲げ可能であることを特徴とする請求項１〜３のいずれかに記載の廃インク吸収体。
【請求項５】
請求項１〜４のいずれかに記載の廃インク吸収体を、交換可能に備えたことを特徴とするインクジェット記録装置。
【発明の詳細な説明】
【技術分野】
【０００１】
本発明は、インクジェット記録装置に用いられる廃インク吸収体、及びそれを備えたインクジェット記録装置に関する。
【背景技術】
【０００２】
インク吐出方式の記録ヘッドを備え、この記録ヘッドからインクを液滴として吐出し、これをインクジェット記録用紙に付着させて画像を印刷するインクジェット記録装置が知られている。インクジェット記録装置には、インクを収容するインクタンクが設けられている。インクは、インクタンクから記録ヘッドに供給される。記録ヘッドは、例えば、吐出口が形成されたノズルと、ピエゾ素子によって駆動される振動板とを備えており、振動板の振動による圧力変化を利用して、インクタンクからインクをノズルへ吸引して吐出口から噴射する。
【０００３】
インクジェット記録装置は、長期間使用しないでいると、ノズル内、特に吐出口付近に高粘度化したインクが付着し、また、気泡や塵埃がノズルに詰まる。記録ヘッドは、インクの付着、ノズルの詰まりにより、吐出圧が吸収されて吐出力が低下する。吐出力の低下は、適正なインクの吐出を妨げたり、吐出方向が変化したりする等、吐出不良の原因となる。吐出不良を放置しておくと、スジむらの発生や濃度むらなど印画品質の低下を引き起こす。この吐出不良を回復するために、インクジェット記録装置には、各種の吐出不良回復装置が設けられている（例えば、特許文献１参照）。
【０００４】
吐出不良回復装置には、吐出不良の原因となる高粘度化したインクや塵埃など（以下、まとめて「廃インク」という。）を記録ヘッドから負圧吸引するポンプが設けられている。ポンプにより吸引された廃インクは、例えば、多孔質材料からなる廃インク吸収体に浸透される。廃インク吸収体は、廃インクの浸透度合に応じて交換される。
【特許文献１】特開２００７−３０１８３２号公報
【発明の開示】
【発明が解決しようとする課題】
【０００５】
廃インク吸収体を交換する場合には、廃インク吸収体に浸透している廃インクで手が汚れてしまうことがある。廃インクに含まれる合成有機顔料は不溶性であり、廃インクによる汚れは、水洗いでは簡単には落とせない。このため、手を汚さずに廃インク吸収体の交換ができることが望まれていた。
【０００６】
本発明は、上記課題を鑑みてなされたものであり、交換の際に手が汚れない廃インク吸収体及びそれを備えたインクジェット記録装置を提供することを目的とする。
【課題を解決するための手段】
【０００７】
上記目的を達成するために、本発明の廃インク吸収体は、インク吸収部材と、フィルムと、把手とを備えている。インク吸収部材は、インクを吸収する材料で構成され、記録ヘッドで生じた廃インクを浸透させて保持する。フィルムは、インクを透過しない透明な材料で成形され、インク吸収部材を被覆している。
【０００８】
把手は、フィルムと一体に成形するのが好ましい。また、把手に貫通孔を設けてもよい。廃インク吸収体は、折曲げ可能にしてもよい。
【０００９】
本発明のインクジェット記録装置は、上記いずれかの廃インク吸収体を、交換可能に備えている。
【発明の効果】
【００１０】
本発明の廃インク吸収体及びそれを備えたインクジェット記録装置によれば、廃インクを浸透させて保持するインク吸収部材を、インクを透過しないフィルムで被覆したので、交換の際に手を汚さずにすむ。また、前記フィルムは透明であるので、インク吸収部材を視認することができ、廃インクの浸透量を確認することで廃インク吸収体の交換時期を判断することができる。さらに、把手を備えているので、交換作業を容易に行うことが可能となる。
【発明を実施するための最良の形態】
【００１１】
［第１実施形態］
図１に示すインクジェット記録装置１１は、記録媒体である用紙１２に対してインクを吐出して付着させることにより画像を記録する記録ヘッド１３を備えている。記録ヘッド１３は、インクを吐出する吐出口が形成された複数のノズルを備えており、これら複数のノズルの吐出口が配列された吐出面が用紙１２の記録面と対面するように配置されている。記録ヘッド１３は、用紙１２の幅方向（主走査方向Ｘ）に移動自在なキャリッジ１４に取り付けられている。キャリッジ１４の底面には、記録ヘッド１３の吐出面を露呈させる開口が形成されている。記録ヘッド１３は、キャリッジ１４の移動に伴って用紙１２の幅方向に沿って往復動しながら、画像をライン記録する。この記録ヘッド１３が１往復動する毎に、図示しない搬送ローラによって用紙１２が副走査方向Ｙへ、記録ヘッド１３の１往復動で記録される記録幅分送られる。こうした動作が繰り返されて、１画面分の画像が記録される。
【００１２】
キャリッジ１４は、主走査方向に沿って配された一対のガイド棒１５、１６にスライド自在に取り付けられており、ベルト１７と一対のプーリ１８とからなるベルト機構１９によって駆動される。ベルト機構１９の一端には、記録ヘッド１３と用紙１２とが対面しない領域（以下、「ホームポジション」という。）が設けられている。キャリッジ１４は、二点鎖線で示すように、例えば、電源オフ時や記録待機時などの非記録時に、このホームポジションに保持される。キャリッジ１４は、ホームポジションから主走査方向に移動し、記録ヘッド１３と用紙１２とが対面する記録領域を１往復動することにより、記録ヘッド１３に画像をライン記録させる。
【００１３】
キャリッジ１４には、記録ヘッド１３の上方に、カートリッジ装着部２０が設けられている。このカートリッジ装着部２０には、例えば、イエロー（Ｙ）、マゼンタ（Ｍ）、シアン（Ｃ）の３色の染料インクと、ブラック（Ｋ）の顔料インクとがそれぞれ収納された４つのインクカートリッジ２１が着脱自在に取り付けられる。インクカートリッジ２１は、インクジェット記録装置１１に交換可能に取り付けられるカートリッジタイプのインクタンクである。
【００１４】
カートリッジ装着部２０には、各インクカートリッジ２１が差し込まれる複数のスロットが形成されている。これら各スロットには、記録ヘッド１３へインクを送り込む流路が形成された中空形状のインク供給針（図示せず）が設けられており、スロットへインクカートリッジ２１が差し込まれると、インクカートリッジ２１の底部に設けられたインク取出し部２２に、インク供給針が突き刺さるようになっている。インクカートリッジ２１に収容されたインクは、このインク供給針を通じて記録ヘッド１３へ供給される。記録ヘッド１３には、各ノズル（図示せず）に対応してピエゾ素子（図示せず）によって駆動される振動板（図示せず）が設けられており、この振動板の振動による圧力変化により、インクカートリッジ２１内のインクがノズルへ吸引され、吐出口から噴射される。
【００１５】
ホームポジションにある記録ヘッド１３の吐出面と対面する位置には、吐出面に付着したインクや紙粉などの汚れを拭き取ったり、ノズルの目詰まりを防止するためにノズルから増粘状態のインクを吸引したりするヘッドクリーニング部２３が設けられている。ヘッドクリーニング部２３は、例えば、電源投入時や画像記録を行う前後といった所定のタイミングで記録ヘッド１３の吐出面をクリーニングし、記録ヘッド１３から不要なインクなど（以下、「廃インク」という。）を回収する。
【００１６】
図２に示すように、ヘッドクリーニング部２３は、記録ヘッド１３の色毎に吐出面を封止するための複数のキャップ３１、３２、３３、３４と、吐出面を払拭するためのワイパ３５とを有している。キャップ３１〜３４は、ゴムなどの弾性材料で成形された部材で、ホームポジションに保持された記録ヘッド１３と対面するように配置されている。これらキャップ３１〜３４は、図示を省略した移動機構によって上下方向に移動自在にされており、記録ヘッド１３がホームポジションに移動した後、上方向に移動して記録ヘッド１３に当接する。これにより、非記録時にキャップ３１〜３４によって、記録ヘッド１３の吐出面が封止され、ノズル内のインクの乾燥などが防止される。
【００１７】
ワイパ３５は、ゴムなどの弾性材料で成形されたブレード３６と、このブレード３６を保持する保持部３７とからなる。このワイパ３５は、キャリッジ１４が記録領域に向かう方向にキャップ３１〜３４と並べて配置されるとともに、ブレード３６の先端が吐出面と僅かに接触するように高さが合わせられている。これにより、キャリッジ１４がホームポジションから記録領域へ、あるいは記録領域からホームポジションへ移動する度に、ブレード３６によって吐出面が払拭される。なお、図２では、ブレード３６が棒状に描写されているが、実際には、吐出面に応じた奥行き幅を有する板状に成形されている。また、ワイパ３５は、上記に限ることなく、キャップ３１〜３４の如く上下動させて必要なときにだけ吐出面の払拭を行うものでもよいし、キャリッジ１４の移動に頼らず自らが移動して吐出面を払拭するものでもよい。
【００１８】
ヘッドクリーニング部２３は、染料インク回収用の配管３８、あるいは顔料インク回収用の配管３９を介して廃インク吸収体収容室４０に接続されている。染料インク回収用の配管３８は、ヘッドクリーニング部２３内で３本の配管３８ａ〜３８ｃに分岐し、染料インクを噴射する吐出面を封止するキャップ３１、３２、３３のそれぞれに接続している。顔料インク回収用の配管３９は、顔料インクを噴射する吐出面を封止するキャップ３４に接続している。また、ヘッドクリーニング部２３には、配管３８、３９内に圧力変動を加えて配管３８、３９内の廃インクを廃インク吸収体収容室４０に向けて誘導するポンプ４１、４２が設けられている。
【００１９】
キャップ３１〜３３、３４に接続された配管３８ａ〜３８ｃ、３９は、貫通孔（図示せず）を介してキャップ３１〜３３、３４の窪み３１ａ、３２ａ、３３ａ、３４ａにつなげられており、ポンプ４１、４２の圧力変動を窪み３１ａ〜３３ａ、３４ａに伝える。これにより、記録ヘッド１３に当接した状態でポンプ４１、４２を駆動することで、ノズル内の廃インクが吸引されて廃インク吸収体収容室４０に送られる。
【００２０】
染料インク回収用の各配管３８ａ〜３８ｃの経路上には、それぞれバルブ４３、４４、４５が設けられており、ポンプ４１からの圧力変動を選択的に切り替えてキャップ３１〜３３に伝えられるようにしている。
【００２１】
ヘッドクリーニング部２３は、上述のように、記録ヘッド１３のクリーニングを行って、記録ヘッド１３から廃インクを回収する。回収された廃インクは、廃インク吸収体収容室４０に注入される。なお、本例では、記録ヘッド１３の各色の吐出面毎に独立したキャップ３１〜３３、３４を設けているが、キャップ３１〜３３については、染料インクの各色に係る吐出面をまとめて覆う一つのキャップとしてもよい。
【００２２】
図３及び図４に示すように、廃インク吸収体収容室４０は、顔料インクを浸透させる第１廃インク吸収体５１を収容する第一室５２と、染料インクを浸透させる第２廃インク吸収体５３を収容する第二室５４と、第一室５２と第二室５４との間に設けられ、第３廃インク吸収体５５を収容する第三室５６とから構成される。第一室５２と第三室５６との隣接箇所は開口（符号省略）となっており、第一室５２に収容された第１廃インク吸収体５１と第三室５６に収容された第３廃インク吸収体５５とは互いに連接し、相互で廃インクの拡散が可能である。同様に、第二室５４と第三室５６との隣接箇所は開口（符号省略）となっており、第二室５４に収容された第２廃インク吸収体５３と第三室５６に収容された第３廃インク吸収体５５とは互いに連接し、相互で廃インクの拡散が可能である。なお、説明の都合上、図示を省略したが、廃インク吸収体収容室４０は天板を有しており、その上面は塞がれている。
【００２３】
第一室５２は、直方体形状の空間を有し、隣接する二つの側面が開口５７、５８となっている。長手方向に沿った開口５７は、インクジェット記録装置１１の外装に設けられた開閉自在なＪＡＭ解除カバー（図示省略）の内側に対面する箇所に位置する。ＪＡＭ解除カバーは、インクジェット記録装置１１の内部で紙詰まりが生じた際にユーザによって開かれるカバーである。ＪＡＭ解除カバーが開かれた状態では、第一室５２の内部は、開口５７を介してインクジェット記録装置１１の外部に露呈する。第１廃インク吸収体５１は、ＪＡＭ解除カバーが開かれることで開口５７から出し入れでき、交換可能となっている。
【００２４】
第一室５２の底面には、長手方向に対面する開口５８から長手方向に延びたリブ５９が設けられている。リブ５９は、第１廃インク吸収体５１のスリット６０（詳しくは後述する。）に対応する箇所に位置し、第１廃インク吸収体５１が収容される際の向きを限定する。リブ５９が設けられていることで、ユーザは、第１廃インク吸収体５１の収容向きを知ることができる。また、第一室５２の底面には、開口５７に沿って爪６１が設けられている。この爪６１は、リブ５９とともに、第１廃インク吸収体５１の位置決めをする。
【００２５】
第１廃インク吸収体５１は、スリット６０が形成された長尺形状であり、図５に示すように、多孔質材料（例えば、スポンジ）からなる積層材６２と、積層材６２の略全体を被覆する、透明性及びインク非透過性を有したフィルム６３と、三つの把手６４とから構成される。
【００２６】
第１廃インク吸収体５１は、スリット６０で分断された両端部６５、６６（斜線で示す箇所）だけがフィルム６３で被覆されておらず、両端部６５、６６から積層材６２が露出している。第１廃インク吸収体５１は、一方の端部６５が顔料インク回収用の配管３９の出口（図示省略）に対面し、他方の端部６６が第３廃インク吸収体５５に連接する。
【００２７】
第１廃インク吸収体５１には、記録ヘッド１３の吐出面から回収された廃インクが、キャップ３４、及び顔料インク回収用の配管３９を介して供給される。供給された廃インクは、第１廃インク吸収体５１に一方の端部６５から浸透し、保持される。第１廃インク吸収体５１に保持された廃インクは、その分量に応じて、他方の端部６６から第３廃インク吸収体５５に拡散し、さらには、第２廃インク吸収体５３に拡散する。但し、スリット６０が形成されていることから、第１廃インク吸収体５１内全体、特に他方の端部６６への廃インクの拡散が遅延されている。
【００２８】
把手６４は、積層材６２を被覆するフィルム６３と一体成形されており、スリット６０で分断された双方それぞれに一つずつ配置され、また、スリット６０で分断されていない側に一つ配置されている。把手６４には、貫通孔６７が形成されており、治具などが引っ掛けられるようになっている。第１廃インク吸収体５１の交換の際には、治具などを把手６４の貫通孔６７に引っ掛けて行うことで、交換作業は容易となる。なお、第１廃インク吸収体５１の交換に用いる治具は、図示を省略するが、ＪＡＭ解除カバーを開いたときに取り出せる位置に配置されている。また、把手６４は、二点鎖線で示すように折り畳むことが可能である。
【００２９】
第２廃インク吸収体５３は、多孔質材料（例えば、スポンジ）からなる積層材で構成され、その一端が染料インク回収用の配管３８の出口（図示省略）に対面する。第２廃インク吸収体５３には、記録ヘッド１３の吐出面から回収された廃インクが、キャップ３１〜３３、及び染料インク回収用の配管３８を介して供給される。供給された廃インクは、第２廃インク吸収体５３に浸透し、保持される。第２廃インク吸収体５３に保持された廃インクは、その分量に応じて、第３廃インク吸収体５５に拡散し、さらには、第１廃インク吸収体５１に拡散する。
【００３０】
第３廃インク吸収体５５は、多孔質材料（例えば、スポンジ）からなる積層材で構成され、第１廃インク吸収体５１及び第２廃インク吸収体５３の双方と連接する。第３廃インク吸収体５５には、第１廃インク吸収体５１あるいは第２廃インク吸収体５３が保持する廃インクが、拡散することで供給される。供給された廃インクは、第３廃インク吸収体５５に浸透し、保持される。第３廃インク吸収体５５に保持された廃インクは、その分量に応じて、第１廃インク吸収体５１あるいは第２廃インク吸収体５３に拡散する。
【００３１】
次に、上記構成のインクジェット記録装置１１の作用について説明する。インクジェット記録装置１１を用いてプリントを行う場合には、インクが充填されたインクカートリッジ２１をカートリッジ装着部２０にセットして行う。インクカートリッジ２１がカートリッジ装着部２０にセットされると、インク供給針を介して記録ヘッド１３が接続される。
【００３２】
キャリッジ１４は、非記録時にホームポジションに保持される。すなわち、記録ヘッド１３の吐出面は、ヘッドクリーニング部２３に対面し、キャップ３１〜３４が記録ヘッド１３の吐出面を封止して、ノズル内の記録ヘッド１３の乾燥を防止する。
【００３３】
ユーザから画像記録が指示されて、キャリッジ１４がホームポジションから記録領域へと移動を始めると、記録ヘッド１３の吐出面に廃インクが付着している場合には、その廃インクは、ワイパ３５のブレード３６によって払拭される。
【００３４】
画像記録が指示された記録ヘッド１３は、記録する画像に応じたピエゾ素子に電圧を印加して振動板を駆動し、インク供給針内に圧力変化を加えてインクカートリッジ２１からインクを吸引する。吸引されたインクは、ノズルの吐出口から噴射されて用紙１２に付着する。インクジェット記録装置１１は、キャリッジ１４を主走査方向へ移動させながら記録ヘッド１３を駆動するとともに、搬送ローラによって用紙１２を副走査方向へ送ることで、用紙１２に画像を記録する。
【００３５】
画像記録の前後や非記録時にユーザからヘッドクリーニングが指示されると、ヘッドクリーニング部２３は、適宜バルブ４３〜４５を開栓してポンプ４１、４２を駆動する。ポンプ４１、４２は、キャップ３１〜３３、３４を介して記録ヘッド１３のノズルから増粘した廃インクを吸引する。ポンプ４１で吸引された廃インクは、染料インク回収用の配管３８を通って、廃インク吸収体収容室４０に注入される。一方、ポンプ４２で吸引された廃インクは、顔料インク回収用の配管３９を通って、廃インク吸収体収容室４０に注入される。
【００３６】
染料インク回収用の配管３８を通って注入された廃インクは、第２廃インク吸収体５３に浸透し、保持される。この廃インクは、染料インクであるため粘度が低く、第２廃インク吸収体５３に浸透するだけでなく、第２廃インク吸収体５３に連接する第３廃インク吸収体５５に浸透し、さらに、第３廃インク吸収体５５に連接する第１廃インク吸収体５１に浸透する傾向がある。
【００３７】
一方、顔料インク回収用の配管３９を通って注入された廃インクは、第１廃インク吸収体５１に浸透し、保持される。この廃インクは、顔料インクであるため染料インクと比較して粘度が非常に高く、固着して堆積する度合が高い。このため、顔料インク回収用の配管３９を通って注入された廃インクは、第１廃インク吸収体５１に浸透し、保持されたままになる傾向が強い。第１廃インク吸収体５１に保持された顔料は、経時とともに粘度が増し、多孔質材料からなる積層材６２を目詰まりさせる原因となる。
【００３８】
第１廃インク吸収体５１は、積層材６２が目詰まりを起こすと、廃インクの保持能力が低下する。廃インクの保持能力を所定の水準以上に保つためには、使用頻度に応じて、第１廃インク吸収体５１を適宜交換する必要がある。第１廃インク吸収体５１は、積層材６２がフィルム６３で被覆された構成であるが、そのフィルム６３は透明であるので、ユーザは、積層材６２を視認してその状態、つまり第１廃インク吸収体５１の交換時期を容易に把握することができる。また、第１廃インク吸収体５１は、紙詰まりを解消する際に開かれるＪＡＭ解除カバーの内側に収容されているので、ユーザは、紙詰まりが発生する度に積層材６２の状態を視認することができ、意識しなくても交換時期を把握することが可能である。
【００３９】
また、第１廃インク吸収体５１は、廃インクを保持する積層材６２が、インク非透過性を有するフィルム６３で被覆されているので、ユーザは、交換の際に手を汚さずに済む。また、廃インク吸収体収容室４０を汚さずに済む。さらに、フィルム６３が廃インクの蒸発を抑え、廃インクの高粘度化による積層材６２の目詰まりを防止するので、第１廃インク吸収体５１を長期にわたって使用することを可能とし、第１廃インク吸収体５１の交換頻度を低下させることができる。
【００４０】
［第２実施形態］
図６に示すように、第２実施形態の廃インク吸収体収容室７１は、直方体形状の空間を有し、長手方向に沿った側面が開口７２となっている。開口７２は、ＪＡＭ解除カバー（図示省略）の内側に対面する箇所に位置する。
【００４１】
廃インク吸収体収容室７１には、開口７２に対面する奥面７３から水平方向に延びた片持ち板７４が設けられている。片持ち板７４は、廃インク吸収体収容室７１における、長手方向の一方の端部７５を除いた箇所を上下二段に仕切る。廃インク吸収体収容室７１には、折り畳まれた状態の廃インク吸収体８１（図７参照）が上下二段にわたって収容される（図８参照）。長手方向の他方の端部７６は、片持ち板７４で仕切られた下段の上面、及び上段の上面がそれぞれ開口７７、７８となっている。下段上面の開口７７は、顔料インク回収用の配管３９の出口（図示省略）に対面し、上段上面の開口７８は、染料インク回収用の配管３９の出口（図示省略）に対面する。
【００４２】
廃インク吸収体収容室７１には、底面、長手方向の一方の端部７５に位置する側面、及び、片持ち板７４の上面などに、開口７２に沿って爪７９が設けられている。この爪７９は、廃インク吸収体収容室７１に収容された廃インク吸収体８１（図７参照）の位置決めをする。
【００４３】
また、廃インク吸収体収容室７１には、片持ち板７４で仕切られた上段の上面に、板バネ８０が設けられている。この板バネ８０は、廃インク吸収体収容室７１に収容された廃インク吸収体８１を下方へ付勢し、廃インク吸収体８１が折り畳まれた状態から復元することを防止する。
【００４４】
図７に示すように、廃インク吸収体８１は長尺形状であり、可撓性を有した多孔質材料（例えば、スポンジ）からなる積層材と、積層材の略全体を被覆する、透明性及びインク非透過性を有したフィルムと、三つの把手８２とから構成される。
【００４５】
廃インク吸収体８１は、一方の端部８３から最下層８４が突出し、他方の端部８５から最上層８６が突出している。突出した最下層８４の上面（実線による斜線で示す箇所）、及び突出した最上層８６の下面（破線による斜線で示す箇所）だけがフィルムで被覆されておらず、当該斜線で示す箇所から積層材が露出している。
【００４６】
把手８２は、積層材を被覆するフィルムと一体成形されており、廃インク吸収体８１の側方に所定の間隔を置いて三つ配置されている。
【００４７】
廃インク吸収体８１は、積層材が可撓性を有していることから、力を加えることで、実線で示す状態から破線で示す折り畳まれた状態に曲げることが可能である。また、加えられている力が無くなれば、破線で示す折り畳まれた状態から実線で示す状態に復元する。
【００４８】
図８及び図９に示すように、廃インク吸収体８１は、折り畳まれた状態で廃インク吸収体収容室７１に収容される。廃インク吸収体収容室７１に収容された廃インク吸収体８１は、片持ち板７４で仕切られた上段に配置された箇所が、板バネ８０によって下方に付勢され、片持ち板７４の上面に押し付けられる。下方に付勢されることで、廃インク吸収体８１自体が有する復元力によって片持ち板７４の上面から浮き上がることが防止される。すなわち、浮き上がることによって廃インク吸収体８２が配管３９の出口へ当接することが防止される。
【００４９】
廃インク吸収体８２が配管３９の出口に当接していると、配管３９から供給された廃インクの粘度が高くなり、配管３９からの廃インクの供給が不安定になる。このことから、その当接が防止されることで、廃インクの固着・堆積の度合が高くなることが防止されるとともに、不安定な供給によって廃インク吸収体収容室７１内を汚すことが防止される。
【００５０】
廃インク吸収体８１には、記録ヘッド１３の吐出面から回収された廃インクが、キャップ３１〜３３、及び染料インク回収用の配管３８を介して、廃インク吸収体収容室７１の上段上面の開口７８から供給される。供給された廃インクは、廃インク吸収体８１に浸透し、保持される。
【００５１】
また、廃インク吸収体８１には、記録ヘッド１３の吐出面から回収された廃インクが、キャップ３４、及び顔料インク回収用の配管３９を介して、廃インク吸収体収容室７１の下段上面の開口７７から供給される。供給された廃インクは、廃インク吸収体８１に浸透し、保持される。
【００５２】
次に上記構成のインクジェット記録装置１１の作用について説明する。染料インク回収用の配管３８を通って開口７８から廃インク吸収体収容室７１に注入された廃インクは、廃インク吸収体８１に浸透し、保持される。顔料インク回収用の配管３９を通って開口７７から廃インク吸収体収容室７１に注入された廃インクは、上記同様、廃インク吸収体８１に浸透し、保持される。なお、上記第１実施形態と同様の構成、作用及び効果についての説明は省略する。
【００５３】
なお、上記各実施形態において、第１廃インク吸収体５１、あるいは廃インク吸収体８１には、三つの把手６４、８２が設けられているが、一つ、二つ、あるいは、四つ以上設けられていてもよい。但し、二つ以上設けられていることが好ましい。
【００５４】
また、上記各実施形態において、廃インク吸収体収容室４０、７１の内部は、ＪＡＭ解除カバーを開くことでインクジェット記録装置１１の外部に露呈する場合を例に説明したが、専用のカバーに対面する位置に廃インク吸収体収容室４０、７１を設け、専用のカバーを開くことで廃インク吸収体収容室４０、７１の内部がインクジェット記録装置１１の外部に露呈するようにしてもよい。
【００５５】
また、上記各実施形態で示したインク吸収体は一例にすぎず、本発明の趣旨を逸脱しなければ、如何様な態様にも適宜変更することができる。
【図面の簡単な説明】
【００５６】
【図１】インクジェット記録装置の構成を示す概略図である。
【図２】ヘッドクリーニング部の構成を示す概略図である。
【図３】第１実施形態における第１廃インク吸収体が収容された廃インク吸収体収容室を示す一部破断斜視図である。
【図４】第１実施形態における第１廃インク吸収体の取出しを説明する概略図である。
【図５】第１実施形態における第１廃インク吸収体の横断面図である。
【図６】第２実施形態における廃インク吸収体収容室を示す斜視図である。
【図７】第２実施形態における廃インク吸収体を示す斜視図である。
【図８】第２実施形態における廃インク吸収体が収容された廃インク吸収体収容室を示す斜視図である。
【図９】第２実施形態における廃インク吸収体の取出しを説明する概略図である。
【符号の説明】
【００５７】
１１  インクジェット記録装置
１２  用紙（記録媒体）
１３  記録ヘッド
５１  第１廃インク吸収体
６４、８２  把手
６７  貫通孔
８１  廃インク吸収体
【図１】
2009234107.tif 000003
【図２】
2009234107.tif 000004
【図３】
2009234107.tif 000005
【図４】
2009234107.tif 000006
【図５】
2009234107.tif 000007
【図６】
2009234107.tif 000008
【図７】
2009234107.tif 000009
【図８】
2009234107.tif 000010
【図９】
2009234107.tif 000011